(57)【特許請求の範囲】
【請求項１】
比誘電率が１を超える材料で形成されたアンテナコアと、このアンテナコアに巻かれた導体と、回路基板に装着されるとともに前記導体の両端と並列接続された可変容量コンデンサと、前記並列接続された並列接続体の一方の端子が接続されたグランド端子と、前記並列接続体の他方の端子が接続された出力端子とを備え、前記並列接続体の他方の端子と前記出力端子との間にインピーダンス整合回路を設け、前記導体はアンテナコアに奇数層巻かれるとともに、前記グランド端子と前記出力端子とは前記回路基板の一方の端と他方の端の近傍に夫々設けられて前記アンテナコアの下面に導出され、前記アンテナコアの大きさと前記回路基板の大きさとを略等しくするとともに、前記アンテナコアの上面に前記回路基板が当接されて一体的に形成されたアンテナモジュール。
【請求項２】
導体はパターンとスルーホールで形成された請求項１に記載のアンテナモジュール。
【請求項３】
導体を形成するパターンとスルーホールの幅は略等しくした請求項２に記載のアンテナモジュール。
【請求項４】
導体は線材で形成された請求項１に記載のアンテナモジュール。
【請求項５】
並列接続体の一方の端子はコンデンサを介してグランドに接続されるとともにインピーダンス素子を介して同調電圧供給端子に接続し、インピーダンス整合回路は前記並列回路の他方の端子からインダクタンス素子を介してグランドに接続されるとともにコンデンサを介して出力端子に接続した請求項１に記載のアンテナモジュール。
【請求項６】
インピーダンス素子の一端は、可変容量コンデンサのカソード端子の近傍に装着された請求項５に記載のアンテナモジュール。
【請求項７】
少なくともインピーダンス素子はリフロー半田付けされた請求項６に記載のアンテナモジュール。
【請求項８】
インダクタンス素子は回路基板上にパターンで形成された請求項５に記載のアンテナモジュール。
【請求項９】
アンテナコアの比誘電率は略１０とした請求項１に記載のアンテナモジュール。
【請求項１０】
アンテナコアはガラスエポキシ樹脂で形成された請求項１に記載のアンテナモジュール。
【請求項１１】
並列接続体の他方の端子と出力端子との間に増幅器が挿入された請求項１に記載のアンテナモジュール。
【請求項１２】
アンテナコア断面の縦寸法と横寸法とを略等しくした請求項１に記載のアンテナモジュール。
【請求項１３】
回路基板上に設けられた出力端子とグランド端子とはアンテナコアに設けられたスルーホールを介して前記アンテナコアの下面に導出した請求項１に記載のアンテナモジュール。
【請求項１４】
可変容量コンデンサは、２個のバリキャップコンデンサのカソード同士を接続した直列接続体で形成されるとともに、この直列接続体の両端のアノードをアンテナコアに巻かれた導体の両端に接続し、前記カソード同士の接続点からインピーダンス素子を介して同調電圧供給端子に接続された請求項１に記載のアンテナモジュール。
【請求項１５】
請求項１に記載のアンテナモジュールが筐体内に設けられた携帯機器。
【請求項１６】
請求項１に記載のアンテナモジュールの出力をチューナ回路に接続するとともに、このチューナ回路の出力からフィードバック信号を生成し、このフィードバック信号に基づいて前記アンテナモジュールの可変容量コンデンサの静電容量を微小量変化させる携帯機器。
【請求項１７】
チューナ回路の出力にＡＧＣ回路を接続し、このＡＧＣ回路の出力に基づいて同調電圧供給端子へ供給する電圧を微小量変化させる請求項１６に記載の携帯機器。
【請求項１８】
チューナ回路の出力にＳ／Ｎ検出回路を接続し、このＳ／Ｎ検出回路の出力に基づいて同調電圧供給端子へ供給する電圧を微小量変化させる請求項１６に記載の携帯機器。
【請求項１９】
チューナ回路の出力にディジタル復調回路と、このディジタル復調回路の出力にエラー検出回路を接続し、このエラー検出回路の出力に基づいて同調電圧供給端子へ供給する電圧を微小量変化させる請求項１６に記載の携帯機器。
【請求項２０】
チューナ回路の出力にＡＧＣ回路と、Ｓ／Ｎ検出回路を接続し、同調電圧と、前記ＡＧＣ回路の出力と、前記Ｓ／Ｎ検出回路の出力は重み付け回路を介して同調電圧供給端子へ供給される請求項１６に記載の携帯機器。
【請求項２１】
チューナ回路の出力にＡＧＣ回路を接続するとともに、ディジタル復調回路を介してエラー検出回路を接続し、同調電圧と、前記ＡＧＣ回路の出力と、前記エラー検出回路の出力は重み付け回路を介して同調電圧供給端子へ供給される請求項１６に記載の携帯機器。
【発明の詳細な説明】
【０００１】
【発明の属する技術分野】
この発明は、アンテナモジュールとこれを用いた携帯機器に関するものである。
【０００２】
【従来の技術】
従来、携帯機器等に使用されるアンテナは、図１４に示すようなものであった。即ち、アンテナ１から入力された信号は携帯機器２内に取り込まれる。この携帯機器２内に装着されたプリント基板上にはコイル３やバリキャップダイオード４が載置され、アンテナ同調回路が構成されていた。そして、その出力は出力端子５から出力され、本体部の同調回路に供給されていた。
【０００３】
なお、このように同調アンテナを用いる理由は、小型化を図るとともに感度を高めることが目的であり、近年特に携帯機器等においては広く使用されるようになってきた（これに類する技術として、例えば特開平１０−２０９８９７号公報がある。）。
【０００４】
【発明が解決しようとする課題】
しかしながらこのような従来の構成では、同調アンテナとして充分な性能を出すために、コイル３とバリキャップダイオード４の配置には充分に経験を積んだ高周波技術者による実装技術が必要であった。即ち、限られたスペース内での部品配置の適正化を考慮しつつ、充分なアンテナ性能を引き出すには高度の実装技術が必要であった。
【０００５】
本発明は、このような問題点を解決するもので、部品の配置を考慮することなく充分なアンテナ性能を得ることができるアンテナモジュールを提供することを目的としたものである。
【０００６】
【課題を解決するための手段】
この目的を達成するために本発明のアンテナモジュールは、比誘電率が１を超える材料で形成されたアンテナコアと、このアンテナコアに巻かれた導体と、回路基板に装着されるとともに前記導体の両端と並列接続された可変容量コンデンサと、前記並列接続された並列接続体の一方の端子が接続されたグランド端子と、前記並列接続体の他方の端子が接続された出力端子とを備え、前記並列接続体の他方の端子と前記出力端子との間にインピーダンス整合回路を設け、前記導体はアンテナコアに奇数層巻かれるとともに、前記グランド端子と前記出力端子とは前記回路基板の一方の端と他方の端の近傍に夫々設けられて前記アンテナコアの下面に導出され、前記アンテナコアの大きさと前記回路基板の大きさとを略等しくするとともに、前記アンテナコアの上面に前記回路基板が当接されて一体的に形成されたものである。
【０００７】
これにより、配置を考慮することなく充分なアンテナ性能を得ることができる。
【０００８】
【発明の実施の形態】
本発明の請求項１に記載の発明は、比誘電率が１を超える材料で形成されたアンテナコアと、このアンテナコアに巻かれた導体と、回路基板に装着されるとともに前記導体の両端と並列接続された可変容量コンデンサと、前記並列接続された並列接続体の一方の端子が接続されたグランド端子と、前記並列接続体の他方の端子が接続された出力端子とを備え、前記並列接続体の他方の端子と前記出力端子との間にインピーダンス整合回路を設け、前記導体はアンテナコアに奇数層巻かれるとともに、前記グランド端子と前記出力端子とは前記回路基板の一方の端と他方の端の近傍に夫々設けられて前記アンテナコアの下面に導出され、前記アンテナコアの大きさと前記回路基板の大きさとを略等しくするとともに、前記アンテナコアの上面に前記回路基板が当接されて一体的に形成されたアンテナモジュールであり、アンテナコアと、このアンテナコアに巻かれた導体とで形成されるアンテナ本体と、このアンテナ本体に接続される電子部品が一体となってモジュール化されているので、各部品配置の適正化を考慮することなく充分なアンテナ性能を引き出すことができる。
【０００９】
また、モジュール化しているので、小型化が実現できるとともに扱いも容易となる。
【００１０】
更に、グランド端子と出力端子とは回路基板の夫々の端に設けられてアンテナコアの下面に導出されているので、全ての配線は下面で行うことができ、面実装部品として用いることができる。また、グランド端子と出力端子とがアンテナモジュールの両端に設けられることになるので、これらの端子のみでバランス良く、且つ、強固に外部のプリント基板に固着させることができる。更に、導体の夫々の両端からの距離を短くすることができ、損失を少なくすることができるので、性能が向上する。
【００１１】
更にまた、アンテナコアの大きさと回路基板の大きさとは略等しいので、自動機での親プリント基板への実装が容易になる。また、部品管理にも優れた外形となる。
【００１２】
また、並列接続体の他方の端子と出力端子との間にインピーダンス整合回路が挿入されているので、効率良く受信電力を供給することができる。
【００１３】
請求項２に記載の発明の導体は、パターンとスルーホールで形成された請求項１に記載のアンテナモジュールであり、エッチング技術で形成されるので、低価格になるとともに量産化が容易となる。また、薄型化を図ることもできる。
【００１４】
請求項３に記載の発明は、導体を形成するパターンとスルーホールの幅は略等しくした請求項２に記載のアンテナモジュールであり、幅が略等しくなっているので、パターンとスルーホールとの連結部における損失が少なくなる。
【００１５】
請求項４に記載の発明の導体は、線材で形成された請求項１に記載のアンテナモジュールであり、線材を用いることにより、Ｑが大きくなり出力レベルが大きくなる。また、階層巻が簡単にできるので、小型化を図ることができる。
【００１６】
請求項５に記載の発明は、並列接続体の一方の端子はコンデンサを介してグランドに接続されるとともにインピーダンス素子を介して同調電圧供給端子に接続し、インピーダンス整合回路は前記並列回路の他方の端子からインダクタンス素子を介してグランドに接続されるとともにコンデンサを介して出力端子に接続した請求項１に記載のアンテナモジュールであり、インダクタンス素子は、インピーダンス整合回路の一部として用いられるとともに、同調電圧供給端子に加えられる電圧のグランドへの接地素子として共用される。従って、部品点数が少なくなり小型化と低価格化に寄与する。
【００１７】
請求項６に記載の発明は、インピーダンス素子の一端は、可変容量コンデンサのカソード端子の近傍に装着された請求項５に記載のアンテナモジュールであり、可変容量コンデンサとインピーダンス素子との間のインダクタンスの変動が少なくなり、共振特性が安定する。
【００１８】
請求項７に記載の発明は、少なくともインピーダンス素子はリフロー半田付けされた請求項６に記載のアンテナモジュールであり、リフロー時に溶融された半田によるセルフアライメント効果でインピーダンス素子の装着位置が一定となるので、可変容量コンデンサとインピーダンス素子との間のインダクタンスの変動が少なくなり、同調特性が安定する。
【００１９】
請求項８に記載の発明は、インダクタンス素子は回路基板上にパターンで形成された請求項５に記載のアンテナモジュールであり、インダクタンス素子を特別に設ける必要はなく、回路基板のエッチング時に他の配線と同時に作成することができるので、薄型化と低価格化に寄与する。
【００２０】
請求項９に記載の発明は、アンテナコアの比誘電率は略１０とした請求項１に記載のアンテナモジュールであり、小型で高感度のアンテナモジュールが実現できる。
【００２１】
請求項１０に記載の発明は、アンテナコアはガラスエポキシ樹脂で形成された請求項１に記載のアンテナモジュールであり、アンテナコアはガラスエポキシ樹脂で形成されているので、低価格のアンテナモジュールを提供することができる。
【００２２】
請求項１１に記載の発明は、並列接続体の他方の端子と出力端子との間に増幅器が挿入された請求項１に記載のアンテナモジュールであり、アンテナの近傍に増幅器を設けるので、出力が大きくなるとともに外部からの雑音の侵入も少なくなる。即ち、Ｓ／Ｎが向上する。
【００２３】
請求項１２に記載の発明は、アンテナコア断面の縦寸法と横寸法とを略等しくした請求項１に記載のアンテナモジュールであり、電界・磁界が共に均一に分布するので、損失が少なくなり、アンテナ感度が向上する。
【００２４】
請求項１３に記載の発明は、回路基板上に設けられた出力端子とグランド端子とはアンテナコアに設けられたスルーホールを介して前記アンテナコアの下面に導出した請求項１に記載のアンテナモジュールであり、親プリント基板に装着したとき、アンテナモジュールの下面にグランド端子と出力端子がくるので、実装が容易となる。また、グランド端子と出力端子とはアンテナコアの両端にあるので、装着したとき、別に装着治具を用いなくとも安定した装着強度が得られる。更に、面実装が可能となる。
【００２５】
請求項１４に記載の発明の可変容量コンデンサは、２個のバリキャップコンデンサのカソード同士を接続した直列接続体で形成されるとともに、この直列接続体の両端のアノードをアンテナコアに巻かれた導体の両端に接続し、前記カソード同士の接続点からインピーダンス素子を介して同調電圧供給端子に接続された請求項１に記載のアンテナモジュールであり、可変容量コンデンサは、２個のバリキャップコンデンサが直列に接続されているので、容量変化範囲が広くなる。従って、同調周波数範囲を広くすることができる。
【００２６】
請求項１５に記載の発明は、請求項１に記載のアンテナモジュールが筐体内に設けられた携帯機器であり、アンテナが携帯機器から突出しないので、使用時の操作が容易となる。また、デザイン上も良好である。
【００２７】
請求項１６に記載の発明は、請求項１に記載のアンテナモジュールの出力をチューナ回路に接続するとともに、このチューナ回路の出力からフィードバック信号を生成し、このフィードバック信号に基づいて前記アンテナモジュールの可変容量コンデンサの静電容量を微小量変化させる携帯機器であり、チューナ回路の出力信号をフィードバックして、可変容量コンデンサの静電容量を微小量調整させるので、希望チャンネル付近での最良の共振状態を得ることができる。従って、たとえ希望チャンネル付近に妨害周波数が存在していても、この妨害周波数を避けることができる。
【００２８】
また、フィードバックしているので、たとえアンテナに手などを触れて共振条件を変化させても、手を触れた状態における最良の状態に同調することができる。
【００２９】
請求項１７に記載の発明は、チューナ回路の出力にＡＧＣ回路を接続し、このＡＧＣ回路の出力に基づいて同調電圧供給端子へ供給する電圧を微小量変化させる請求項１６に記載の携帯機器であり、希望チャンネルの同調電圧以外に受信ゲインの高い状態があれば、このゲインの高くなる受信状態を得ることが可能となる。
【００３０】
請求項１８に記載の発明は、チューナ回路の出力にＳ／Ｎ検出回路を接続し、このＳ／Ｎ検出回路の出力に基づいて同調電圧供給端子へ供給する電圧を微小量変化させる請求項１６に記載の携帯機器であり、希望チャンネルと重なってノイズがあったり、希望チャンネルの同調電圧以外に受信ゲインの高い状態が存在することもあり、これらの条件を考慮して制御することができるので、ノイズが無くエラーレートの良い受信状態を得ることが可能となる。
【００３１】
請求項１９に記載の発明は、チューナ回路の出力にディジタル復調回路と、このディジタル復調回路の出力にエラー検出回路を接続し、このエラー検出回路の出力に基づいて同調電圧供給端子へ供給する電圧を微小量変化させる請求項１６に記載の携帯機器であり、希望チャンネルの同調電圧近傍に妨害信号が存在していても、この妨害信号を避けることができる。従って、エラーレートの良好な周波数を選ぶことができる。
【００３２】
請求項２０に記載の発明は、チューナ回路の出力にＡＧＣ回路と、Ｓ／Ｎ検出回路を接続し、同調電圧と、前記ＡＧＣ回路の出力と、前記Ｓ／Ｎ検出回路の出力は重み付け回路を介して同調電圧供給端子へ供給される請求項１６に記載の携帯機器であり、希望チャンネルの同調電圧以外に受信ゲインの高いところを探すことができるとともに、たとえ希望チャンネルの同調電圧近傍に妨害信号が存在していても、この妨害信号を避けることができ、受信状態の良好な周波数を選ぶことができる。
【００３３】
請求項２１に記載の発明は、チューナ回路の出力にＡＧＣ回路を接続するとともに、ディジタル復調回路を介してエラー検出回路を接続し、同調電圧と、前記ＡＧＣ回路の出力と、前記エラー検出回路の出力は重み付け回路を介して同調電圧供給端子へ供給される請求項１６に記載の携帯機器であり、希望チャンネルの同調電圧以外に受信ゲインの高いところを探すことができるとともに、希望チャンネルの同調電圧近傍に妨害信号が存在していても、この妨害信号を避けることができ、エラーレートの良好な周波数を選ぶことができる。
【００３４】
以下、本発明の実施の形態について、図面を用いて説明する。
【００３５】
（実施の形態１）
図２は実施の形態１におけるアンテナモジュールの回路図である。図２において、１１はアンテナコア１２に巻かれた導体であり、バリキャップダイオード（可変容量コンデンサの一例として用いた）１３と並列に接続されて並列接続体１４を形成している。
【００３６】
そして、この並列接続体１４の一方の端子１５は、固定コンデンサ１６を介してグランド端子１７を接続されるとともに、固定抵抗（インピーダンス素子の一例として用いた）１８を介して同調電圧供給端子１９に接続されている。
【００３７】
また、並列接続体１４の他方の端子２０はパターンで形成されたインピーダンス素子２１を介してグランド端子１７に接続されるとともに、固定コンデンサ２２とトランジスタで形成された増幅器２３を介して出力端子２４に接続されている。
【００３８】
本実施の形態におけるアンテナモジュールはＵＨＦ帯受信用であり、固定コンデンサ１６は３ＰＦのチップコンデンサ、固定コンデンサ２２は２ＰＦのチップコンデンサ、固定抵抗１８は１００キロオームのチップ抵抗を用いた。また、インピーダンス素子２１と固定コンデンサ２２とでインピーダンス整合回路２５を形成している。このインピーダンス整合回路２５は、並列接続体１４とのインピーダンスの整合を行い、接続による損失を少なくするために挿入されたものである。
【００３９】
なお、増幅器２３を接続することなく、固定コンデンサ２２の出力を直接出力端子２４に接続しても良い。しかしながら、増幅器２３を用いることにより、Ｓ／Ｎを向上させることができるとともに大信号を出力することができる。
【００４０】
図３は、アンテナモジュール３２の分解斜視図である。アンテナコア１２は比誘電率が１０であって、長さ４１は４ｃｍ、その断面の縦４２は３ｍｍ、横４３は４ｍｍのものを用いている。そして、その表面にパターン２６とスルーホール２７とで導体１１を形成している。この導体１１は、アンテナコア１２にらせん状に一層巻されている。従ってその両端は必ずアンテナコア一方端と他方端となる。従って、バリキャップダイオード１３との接続線路が交叉することはなく、短く接続することができる。
【００４１】
なお、図４に示すように、スルーホール２７の端面２７ａとアンテナコア１２の切断面１２ａの間には絶縁材で形成されたスルーホール２７の除去部２８を設けておくことが重要である。これは、アンテナ本体２９（アンテナコア１２にパターン２６とスルーホール２７で形成された導体１１が巻かれたもの）がワークシートで形成された複数個取りの基板から一個ずつ切断する場合において、バリを生じさせないための配慮である。また、パターン２６とスルーホール２７の幅を略等しくして、接続点における損失を少なくしておくことも重要である。このようにアンテナ本体２９をエッチング技術で製作することができるので、量産に適したものといえる。
【００４２】
また、図３に示す３０は、ガラスエポキシ樹脂で形成された回路基板であり、アンテナコア１２の上面と同じ寸法にしている。このことにより、部品管理が容易となるとともに自動装着も可能となる。この回路基板３０上には、バリキャップダイオード１３と、固定コンデンサ１６と、固定抵抗１８と、パターンで形成されたインピーダンス素子２１と、インピーダンス整合回路２５が装着されている。なお、ここで、固定抵抗１８はバリキャップダイオード１３のカソード近傍に配置することが重要である。これは、固定抵抗１８の半田付け等により回路基板３０上でのパターンによるインダクタンスの変動を少なくして同調特性を安定化させるためである。
【００４３】
そして、これらの部品は全てリフロー半田で半田付けされる。リフロー半田付けされることにより、セルフアライメント効果により全ての部品は所定の位置に装着されるので、パターン長等によるインダクタンスの変化は少なくなり安定した性能が得られる。特に固定抵抗１８の装着においては、その効果が顕著に現われる。
【００４４】
なお、上記部品で全ての部品を回路基板３０内に装着する必要は必ずしもなく、バリキャップダイオード１３と固定抵抗１８以外の部品は回路基板３０以外に設けることもできる。
【００４５】
図１は、アンテナ本体２９に部品が実装された回路基板３０が装着されて完成されたアンテナモジュール３２である。図１において、１７はグランド端子であり２４は出力端子である。そして、これらの端子は回路基板３０の一方の端の近傍と他方の端の近傍に設けられている。１９は同調電圧供給端子である。そして、これらの端子は、アンテナコア１２に形成されたスルーホールを介してアンテナコア１２の下面に導出されている。
【００４６】
このように、外部に接続される端子は全てアンテナコア１２の下面に導出されているので、全ての配線は下面で行うことができる。従って、面実装部品として用いることができる。また、このアンテナモジュール３２においては、グランド端子１７と出力端子２４とがアンテナモジュール３２の両端に設けられることになるので、これらの端子のみでバランス良く、且つ、強固に外部のプリント基板に固着させることができる。従って、特別のアンテナモジュール３２の部品装着治具を用いる必要がない。なお、図１は全ての部品が回路基板３０に装着されたものではなく一部省略したものである。
【００４７】
図５は、利得特性図であり、同調電圧供給端子１９に加える電圧と、出力端子２４から出力される信号出力との関係を示している。横軸３１は周波数であり、縦軸３２は出力端子２４から出力される信号出力の利得である。３３は、同調電圧供給端子１９に０．５ボルトを加えたときの利得特性曲線であり、そのピーク周波数３３ａは略５００ＭＨｚである。また、３４は、同調電圧供給端子１９に２．５ボルトを加えたときの利得特性曲線であり、そのピーク周波数３４ａは略６５０ＭＨｚである。
【００４８】
このように、同調電圧供給端子１９に加える電圧により、希望する信号の近くに同調することができるので、高出力のアンテナモジュール３２を得ることができる。
【００４９】
（実施の形態２）
実施の形態２においては、アンテナコア１２に巻かれる導体１１に線材を用いたものである。このように線材を用いることにより、Ｑを大きくすることができる。この線材には、ポリウレタン銅線、錫メッキ線、半田メッキ線、アルミ線等を使用することができる。
【００５０】
なお、絶縁物で被覆された線材を使用すれば奇数階の階層巻が可能である。奇数階とすることにより、線材の両端がアンテナコアの一端と他端に設けることができる。
【００５１】
また、奇数階の階層巻をすることにより、アンテナコア１２の長さ方向の寸法を小さくすることができ、小型化に寄与することができる。
【００５２】
更に、多数回巻くことができるので、例えば比誘電率が４程度のガラスエポキシ樹脂を用いることができ、低価格化に寄与することができる。
【００５３】
（実施の形態３）
実施の形態３は、図６に示すように２個のバリキャップダイオード３５，３６のカソード側を接続したものである。即ち、図２におけるバリキャップダイオード１３の代わりにバリキャップダイオード３５，３６をバックツーバックで接続し、その接続点３７から固定抵抗１８を介して同調電圧供給端子１９に接続したものである。
【００５４】
このように、バリキャップダイオード３５，３６を用いることにより、同調周波数の変化幅を大きくすることができる。なお、実施の形態３では、増幅器２３を外した回路としている。その他については実施の形態１と同様である。
【００５５】
（実施の形態４）
実施の形態４においては、アンテナコア１２や回路基板３０の側面に形成されるスルーホールの製造方法について説明する。図７において、１１１はワークシート状のプリント基板であり、このプリント基板１１１には複数個の子基板１１２が連結部１１３で連結している。この子基板１１２の夫々がアンテナコア１２や回路基板３０に該当する。
【００５６】
次に、図８に示すように、この子基板１１２の隣接する側面１１４にスルーホール１１５が設けられている。１１６は、連結部１１３で切断した切断部である。ここで重要なことは、切断部１１６の幅より、銅メッキの除去部（図４における除去部２８に該当する）１１７を広くすることである。このことにより、切断部１１６での切断時にスルーホール１１５にバリを生じさせなくすることができる。
【００５７】
次に、スルーホール１１５の製造方法を図９を用いて説明する。図９は、ポジ型感光性レジストを用いた場合におけるプリント基板の製造工程図である。図９において、先ず工程１２５で、プリント基板１１１の隣接する子基板１１２同士の連結部１１３のスルーホール形成部にドリルで孔をあける。次に、工程１２６でこの孔に銅メッキをする。次に、工程１２７でこの孔にレジストを塗布する。次に工程１２８でこの塗布されたレジストを硬化させる。
【００５８】
次に、工程１２９で図１０に示すマスク１３３を当てて露光する。１３３ａはマスク１３３に設けられた凹部であり、この凹部１３３ａを隣接する子基板１１２同士の境界に形成されたスルーホール上に置く。１１３は、隣接する子基板１１２同士の連結部である。このことにより、凹部１３３ａの部分だけ露光されてレジストが分解される。次に、工程１３０で分解されたレジストを取り除く。次に工程１３１で銅メッキのエッチングを行って、工程１３０でレジストが取り除かれた部分の銅メッキを除去する。そして、保管１３２する。
【００５９】
以上のようにして、ワークシート状のプリント基板１１１の各子基板１１２の側面に除去部１１７を有するスルーホール１１５が形成される。
【００６０】
（実施の形態５）
実施の形態５は、本発明のアンテナモジュール３２をフィードバック制御により最適の受信状態を得る携帯機器の例である。なお、アンテナモジュール３２は携帯機器の内部に装着してあるので、アンテナを動かして、最大感度を探る必要はなく（略無指向性である）、操作が簡単である。また、外部にアンテナが露出することはなく、デザイン的にも優れたものである。
【００６１】
図１１において、３２はアンテナモジュールであり、このアンテナモジュール３２の出力端子２４は、チューナ回路１５９の入力に接続されている。このチューナ回路１５９では入力された高周波信号が選局されるとともに検波され、この検波出力は出力端子１６０から出力される。
【００６２】
また、チューナ回路１５９から出力される選局のための同調電圧１６１と、チューナ回路１５９の出力からＡＧＣ回路１６２を介して出力されるＡＧＣ電圧１６３と、チューナ回路１５９の出力からＳ／Ｎ検出回路１６４を介して出力されるＳ／Ｎ信号電圧１６５は重み付け回路１６６で重み付けされる。そして、その出力はアンテナモジュール３２の同調電圧供給端子１９に供給される。
【００６３】
このように本実施の形態におけるフィードバック制御される携帯機器では、同調電圧１６１の他に、ＡＧＣ電圧１６３を加えているので、選局のための同調電圧１６１以外にもレベルの高い点に同調することができる。
【００６４】
更に、Ｓ／Ｎ信号電圧１６５も加えているので、選局のための同調電圧１６１以外にもノイズレベルの低い点があれば、このノイズレベルの低い点に同調することができる。このようにフィードバック信号を同調電圧１６１に重み付けして加えることにより、最良の同調点を選ぶことができる。
【００６５】
即ち、図１２に示すように、出力端子１６０からは同調電圧１６１のみによる利得特性１６８ではなく、ＡＧＣ電圧１６３やＳ／Ｎ信号電圧１６５で補正されて、利得が高く且つノイズの少ない希望する利得特性１６９を得ることができる。即ち、同調周波数１４４ａからフィードバックにより同調周波数を１４４ｂにすることにより、利得感度も１４５ｂから１４５ｃへと高くなる。なお、図１２において、横軸１４４は周波数（ＭＨｚ）であり、縦軸１４５は利得（ｄＢ）である。１４５ａは基準値を示している。
【００６６】
図１３は、ディジタル信号を受信する他の携帯機器に接続されたアンテナモジュール３２の例であり、チューナ回路１５９の出力と出力端子１６０との間にディジタル復調回路１７０を設け、このディジタル復調回路１７０の出力からエラー検出回路１７１を介して重み付け回路１７２に入力している。なお、この重み付け回路１７２は、エラー検出回路１７１の出力が入力されている以外は図１１で示した重み付け回路１６６と同様である。
【００６７】
このようにディジタル復調回路１７０とエラー検出回路１７１を用いて、その信号をフィードバックすることにより、エラーの最も少ない点で同調することができる。即ち、図１２に示すような制御が行われる。
【００６８】
【発明の効果】
以上のように本発明によれば、比誘電率が１を超える材料で形成されたアンテナコアと、このアンテナコアに巻かれた導体と、回路基板に装着されるとともに前記導体の両端と並列接続された可変容量コンデンサと、前記並列接続された並列接続体の一方の端子が接続されたグランド端子と、前記並列接続体の他方の端子が接続された出力端子とを備え、前記並列接続体の他方の端子と前記出力端子との間にインピーダンス整合回路を設け、前記導体はアンテナコアに奇数層巻かれるとともに、前記グランド端子と前記出力端子とは前記回路基板の一方の端と他方の端の近傍に夫々設けられて前記アンテナコアの下面に導出され、前記アンテナコアの大きさと前記回路基板の大きさとを略等しくするとともに、前記アンテナコアの上面に前記回路基板が当接されて一体的に形成されたアンテナモジュールであり、アンテナコアと、このアンテナコアに巻かれた導体とで形成されるアンテナ本体と、このアンテナ本体に接続される電子部品が一体となってモジュール化されているので、各部品配置の適正化を考慮することなく充分なアンテナ性能を引き出すことができる。
【００６９】
また、モジュール化しているので、小型化が実現できるとともに扱いも容易となる。
【００７０】
更に、グランド端子と出力端子とは回路基板の夫々の端に設けられてアンテナコアの下面に導出されているので、全ての配線は下面で行うことができ、面実装部品として用いることができる。また、グランド端子と出力端子とがアンテナモジュールの両端に設けられることになるので、これらの端子のみでバランス良く、且つ、強固に外部のプリント基板に固着させることができる。更に、導体の夫々の両端からの距離を短くすることができ、損失を少なくすることができるので、性能が向上する。
【００７１】
更にまた、アンテナコアの大きさと回路基板の大きさとは略等しいので、自動機での親プリント基板への実装が容易になる。また、部品管理にも優れた外形となる。
【００７２】
また、並列接続体の他方の端子と出力端子との間にインピーダンス整合回路が挿入されているので、効率良く受信電力を供給することができる。
【図面の簡単な説明】
【図１】  本発明の実施の形態１におけるアンテナモジュールの斜視図
【図２】  同、回路図
【図３】  同、分解斜視図
【図４】  同、要部拡大斜視図
【図５】  同、利得特性図
【図６】  本発明の実施の形態３におけるアンテナモジュールの回路図
【図７】  本発明の実施の形態４におけるアンテナモジュールを形成するプリント基板のワークシートの平面図
【図８】  同、要部平面図
【図９】  同、スルーホールの製造工程図
【図１０】  同、マスクとその近傍の平面図
【図１１】  本発明の実施の形態５におけるアンテナモジュールを用いた携帯機器の回路図
【図１２】  同、利得特性図
【図１３】  同、他の例による携帯機器の回路図
【図１４】  従来の同調アンテナの回路図
【符号の説明】
１１  導体
１２  アンテナコア
１３  バリキャップダイオード
１４  並列接続体
１７  グランド端子
２４  出力端子
２５  インピーダンス整合回路
２６  パターン
２７  スルーホール
３０  回路基板
３２  アンテナモジュール
【図１】
0003743324.tif 000002
【図２】
0003743324.tif 000003
【図３】
0003743324.tif 000004
【図４】
0003743324.tif 000005
【図５】
0003743324.tif 000006
【図６】
0003743324.tif 000007
【図７】
0003743324.tif 000008
【図８】
0003743324.tif 000009
【図９】
0003743324.tif 000010
【図１０】
0003743324.tif 000011
【図１１】
0003743324.tif 000012
【図１２】
0003743324.tif 000013
【図１３】
0003743324.tif 000014
【図１４】
0003743324.tif 000015